(57)【要約】【課題】ユーザーの実際の眼の具合に対応することができる透過型表示装置、表示方法および表示プログラムを提供する。【解決手段】透過型表示装置は、外界からの光を画像取り出しエリアに透過させ、且つ、画像取り出しエリアに画像光を出力する表示部１１０Ａ、Ｂと、ユーザーの眼の状態を検出するセンサー１３０Ａ、Ｂと、ユーザーからの操作入力を受け付ける操作入力部２７０と、センサーにより検出されたユーザーの眼の状態に基づいてユーザーの眼の状態があらかじめ定められた状態になったと判定した場合に表示部によりあらかじめ定められた画像を表示し、これに応じて操作入力部によりあらかじめ定められたユーザーからの操作入力が受け付けられたことを検出した場合に表示部の表示モードを切り替える制御部２３０と、を備える。【選択図】図３
2013114123.tif 000002
【特許請求の範囲】
【請求項１】
外界からの光を画像取り出しエリアに透過させ、且つ、前記画像取り出しエリアに画像光を出力する表示部と、
ユーザーの眼の状態を検出するセンサーと、
前記ユーザーからの操作入力を受け付ける操作入力部と、
前記センサーにより検出された前記ユーザーの眼の状態に基づいて前記ユーザーの眼の状態があらかじめ定められた状態になったと判定した場合に前記表示部によりあらかじめ定められた画像を表示し、これに応じて前記操作入力部によりあらかじめ定められた前記ユーザーからの操作入力が受け付けられたことを検出した場合に前記表示部の表示モードを切り替える制御部と、
を備えることを特徴とする透過型表示装置。
【請求項２】
前記制御部は、
前記センサーにより検出された前記ユーザーの眼の状態に基づいて、前記ユーザーの眼の状態として、前記ユーザーの眼の瞬きの回数を判定し、
前記ユーザーの眼の瞬きの回数が第１の所定値以上となったと判定した場合と前記ユーザーの眼の瞬きの回数が第２の所定値以下となったと判定した場合とのうちの一方または両方において、前記ユーザーの眼の状態が前記あらかじめ定められた状態になったと判定する、
ことを特徴とする請求項１に記載の透過型表示装置。
【請求項３】
前記制御部は、前記表示モードの切り替えとして、前記表示部により眼の保養映像を表示する表示モードへ切り替える、
ことを特徴とする請求項１または請求項２に記載の透過型表示装置。
【請求項４】
前記制御部は、前記表示モードの切り替えとして、前記表示部のバックライトをオフにする表示モードへ切り替える、
ことを特徴とする請求項１または請求項２に記載の透過型表示装置。
【請求項５】
前記制御部は、
前記センサーにより検出された前記ユーザーの眼の状態に基づいて、前記ユーザーの眼の状態として、前記ユーザーの眼の瞳孔の大きさを判定し、
前記ユーザーの眼の瞳孔の大きさが小さくなったと判定した場合と前記ユーザーの眼の瞳孔の大きさが大きくなったと判定した場合とのうちの一方または両方において、前記ユーザーの眼の状態が前記あらかじめ定められた状態になったと判定する、
ことを特徴とする請求項１に記載の透過型表示装置。
【請求項６】
前記制御部は、前記ユーザーの眼の瞳孔の大きさが小さくなったと判定した場合に前記表示部によりあらかじめ定められた画像を表示し、これに応じて前記操作入力部によりあらかじめ定められた前記ユーザーからの操作入力が受け付けられたことを検出した場合に、前記表示モードの切り替えとして、前記表示部のバックライトの輝度を低下させる表示モードへ切り替える、
ことを特徴とする請求項５に記載の透過型表示装置。
【請求項７】
前記制御部は、前記ユーザーの眼の瞳孔の大きさが大きくなったと判定した場合に前記表示部によりあらかじめ定められた画像を表示し、これに応じて前記操作入力部によりあらかじめ定められた前記ユーザーからの操作入力が受け付けられたことを検出した場合に、前記表示モードの切り替えとして、前記表示部のシェードの透過率を上げる表示モードへ切り替える、
ことを特徴とする請求項５または請求項６に記載の透過型表示装置。
【請求項８】
前記表示部は、ユーザーの頭部に装着される表示装置に備えられ、
前記表示部は、表示素子と、前記表示素子からの画像光を投射する投射レンズと、前記投射レンズに対して固定されて前記投射レンズからの画像光を前記画像取り出しエリアに導く導光部と、を備え、
前記導光部を介して前記表示素子からの画像光の画像と外界からの光の画像とを同時に観察可能である、
ことを特徴とする請求項１から請求項７のいずれか１項に記載の透過型表示装置。  
【請求項９】
表示部が、外界からの光を画像取り出しエリアに透過させ、且つ、前記画像取り出しエリアに画像光を出力するステップと、
制御部が、センサーにより検出されたユーザーの眼の状態に基づいて前記ユーザーの眼の状態があらかじめ定められた状態になったと判定した場合に前記表示部によりあらかじめ定められた画像を表示し、これに応じて操作入力部によりあらかじめ定められた前記ユーザーからの操作入力が受け付けられたことを検出した場合に前記表示部の表示モードを切り替えるステップと、
を有することを特徴とする透過型表示装置における表示方法。
【請求項１０】
表示部が、外界からの光を画像取り出しエリアに透過させ、且つ、前記画像取り出しエリアに画像光を出力する手順と、
センサーが、ユーザーの眼の状態を検出する手順と、
操作入力部が、前記ユーザーからの操作入力を受け付ける手順と、
制御部が、前記センサーにより検出された前記ユーザーの眼の状態に基づいて前記ユーザーの眼の状態があらかじめ定められた状態になったと判定した場合に前記表示部によりあらかじめ定められた画像を表示し、これに応じて前記操作入力部によりあらかじめ定められた前記ユーザーからの操作入力が受け付けられたことを検出した場合に前記表示部の表示モードを切り替える手順と、
をコンピューターに実行させるための透過型表示装置における表示プログラム。
【発明の詳細な説明】
【技術分野】
【０００１】
本発明は、透過型（シースルー型）表示装置、表示方法および表示プログラムに関する。
【背景技術】
【０００２】
特許文献１には、液晶パネルと当該液晶パネルを後方から照射するためのバックライト（ＢＬ）とを備えた画像表示素子を装置本体に収納した頭部装着型表示装置（ＨＭＤ：ヘッドマウントディスプレイ）のバックライトを駆動する方法が開示されている（特許文献１参照。）。
【先行技術文献】
【特許文献】
【０００３】
【特許文献１】特許第３６３５８２５号公報
【発明の概要】
【発明が解決しようとする課題】
【０００４】
しかしながら、特許文献１に開示されている頭部装着型表示装置のバックライト駆動方法では、ユーザーの実際の眼（目）の疲労具合などに対応するという点で、更なる開発が要求されていた。
【０００５】
本発明は、前記の点に鑑みてなされたものであり、ユーザーの実際の眼の具合に対応することができる透過型表示装置、表示方法および表示プログラムを提供することを目的とする。
【課題を解決するための手段】
【０００６】
本発明は、上記の課題を解決するためになされたものであり、外界からの光を画像取り出しエリアに透過させ、且つ、前記画像取り出しエリアに画像光を出力する表示部と、ユーザーの眼の状態を検出するセンサーと、前記ユーザーからの操作入力を受け付ける操作入力部と、前記センサーにより検出された前記ユーザーの眼の状態に基づいて前記ユーザーの眼の状態があらかじめ定められた状態になったと判定した場合に前記表示部によりあらかじめ定められた画像を表示し、これに応じて前記操作入力部によりあらかじめ定められた前記ユーザーからの操作入力が受け付けられたことを検出した場合に前記表示部の表示モードを切り替える制御部と、を備えることを特徴とする透過型表示装置である。
【０００７】
この構成により、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【０００８】
また、本発明は、前記制御部は、前記センサーにより検出された前記ユーザーの眼の状態に基づいて、前記ユーザーの眼の状態として、前記ユーザーの眼の瞬きの回数を判定し、前記ユーザーの眼の瞬きの回数が第１の所定値以上となったと判定した場合と前記ユーザーの眼の瞬きの回数が第２の所定値以下となったと判定した場合とのうちの一方または両方において、前記ユーザーの眼の状態が前記あらかじめ定められた状態になったと判定する、ことを特徴とする透過型表示装置である。
【０００９】
この構成により、制御部は、ユーザーの眼の瞬きの回数が第１の所定値以上となったと判定した場合と前記ユーザーの眼の瞬きの回数が第２の所定値以下となったと判定した場合とのうちの一方または両方において、前記ユーザーの眼の状態があらかじめ定められた状態になったと判定して、あらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【００１０】
また、本発明は、前記制御部は、前記表示モードの切り替えとして、前記表示部により眼の保養映像を表示する表示モードへ切り替える、ことを特徴とする透過型表示装置である。
【００１１】
この構成により、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に、表示部の表示モードを、前記表示部により眼の保養映像を表示する表示モードへ切り替える。これにより、透過型表示装置は、ユーザーの実際の眼の具合に対応することができる。
【００１２】
また、本発明は、前記制御部は、前記表示モードの切り替えとして、前記表示部のバックライトをオフにする表示モードへ切り替える、ことを特徴とする透過型表示装置である。
【００１３】
この構成により、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に、表示部の表示モードを、前記表示部のバックライトをオフにする表示モードへ切り替える。これにより、透過型表示装置は、ユーザーの実際の眼の具合に対応することができる。
【００１４】
また、本発明は、前記制御部は、前記センサーにより検出された前記ユーザーの眼の状態に基づいて、前記ユーザーの眼の状態として、前記ユーザーの眼の瞳孔の大きさを判定し、前記ユーザーの眼の瞳孔の大きさが小さくなったと判定した場合と前記ユーザーの眼の瞳孔の大きさが大きくなったと判定した場合とのうちの一方または両方において、前記ユーザーの眼の状態が前記あらかじめ定められた状態になったと判定する、ことを特徴とする透過型表示装置である。
【００１５】
この構成により、制御部は、ユーザーの眼の瞳孔の大きさが小さくなったと判定した場合と前記ユーザーの眼の瞳孔の大きさが大きくなったと判定した場合とのうちの一方または両方において、前記ユーザーの眼の状態があらかじめ定められた状態になったと判定して、あらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【００１６】
また、本発明は、前記制御部は、前記ユーザーの眼の瞳孔の大きさが小さくなったと判定した場合に前記表示部によりあらかじめ定められた画像を表示し、これに応じて前記操作入力部によりあらかじめ定められた前記ユーザーからの操作入力が受け付けられたことを検出した場合に、前記表示モードの切り替えとして、前記表示部のバックライトの輝度を低下させる表示モードへ切り替える、ことを特徴とする透過型表示装置である。
【００１７】
この構成により、制御部は、ユーザーの眼の瞳孔の大きさが小さくなったと判定した場合に表示部によりあらかじめ定められた画像を表示し、これに応じて操作入力部によりあらかじめ定められた前記ユーザーからの操作入力が受け付けられたことを検出した場合に、前記表示部のバックライトの輝度を低下させる表示モードへ切り替える。これにより、透過型表示装置は、ユーザーの実際の眼の具合に対応することができる。
【００１８】
また、本発明は、前記制御部は、前記ユーザーの眼の瞳孔の大きさが大きくなったと判定した場合に前記表示部によりあらかじめ定められた画像を表示し、これに応じて前記操作入力部によりあらかじめ定められた前記ユーザーからの操作入力が受け付けられたことを検出した場合に、前記表示モードの切り替えとして、前記表示部のシェードの透過率を上げる表示モードへ切り替える、ことを特徴とする透過型表示装置である。
【００１９】
この構成により、制御部は、ユーザーの眼の瞳孔の大きさが大きくなったと判定した場合に表示部によりあらかじめ定められた画像を表示し、これに応じて操作入力部によりあらかじめ定められた前記ユーザーからの操作入力が受け付けられたことを検出した場合に、前記表示部のシェードの透過率を上げる表示モードへ切り替える。これにより、透過型表示装置は、ユーザーの実際の眼の具合に対応することができる。
【００２０】
また、本発明は、前記表示部は、ユーザーの頭部に装着される表示装置に備えられ、前記表示部は、表示素子と、前記表示素子からの画像光を投射する投射レンズと、前記投射レンズに対して固定されて前記投射レンズからの画像光を前記画像取り出しエリアに導く導光部と、を備え、前記導光部を介して前記表示素子からの画像光の画像と外界からの光の画像とを同時に観察可能である、ことを特徴とする透過型表示装置である。
【００２１】
この構成により、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【００２２】
また、本発明は、表示部が、外界からの光を画像取り出しエリアに透過させ、且つ、前記画像取り出しエリアに画像光を出力するステップと、制御部が、センサーにより検出されたユーザーの眼の状態に基づいて前記ユーザーの眼の状態があらかじめ定められた状態になったと判定した場合に前記表示部によりあらかじめ定められた画像を表示し、これに応じて操作入力部によりあらかじめ定められた前記ユーザーからの操作入力が受け付けられたことを検出した場合に前記表示部の表示モードを切り替えるステップと、を有することを特徴とする透過型表示装置における表示方法である。
【００２３】
この方法により、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【００２４】
また、本発明は、表示部が、外界からの光を画像取り出しエリアに透過させ、且つ、前記画像取り出しエリアに画像光を出力する手順と、センサーが、ユーザーの眼の状態を検出する手順と、操作入力部が、前記ユーザーからの操作入力を受け付ける手順と、制御部が、前記センサーにより検出された前記ユーザーの眼の状態に基づいて前記ユーザーの眼の状態があらかじめ定められた状態になったと判定した場合に前記表示部によりあらかじめ定められた画像を表示し、これに応じて前記操作入力部によりあらかじめ定められた前記ユーザーからの操作入力が受け付けられたことを検出した場合に前記表示部の表示モードを切り替える手順と、をコンピューターに実行させるための透過型表示装置における表示プログラムである。
【００２５】
このプログラムにより、制御部は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に表示部の表示モードを切り替える。これにより、透過型表示装置は、ユーザーの実際の眼の具合に対応することができる。
【００２６】
以上のように、本発明によれば、透過型表示装置は、ユーザーの眼の状態があらかじめ定められた状態になったと判定した場合にあらかじめ定められた画像を表示し、これに応じてあらかじめ定められた前記ユーザーからの操作入力が受け付けられたことを検出した場合に表示部の表示モードを切り替える。これにより、ユーザーの実際の眼の具合に対応することができる。
【図面の簡単な説明】
【００２７】
【図１】本発明の一実施形態に係る透過型表示装置の外観図である。
【図２】本発明の一実施形態に係る表示装置の左眼用表示部の構成例を示す平面図である。
【図３】本発明の一実施形態に係る透過型表示装置の構成例を示すブロック図である。
【図４】本発明の第１実施形態に係る透過型表示装置において行われる処理の手順の一例を示すフローチャート図である。
【図５】本発明の第２実施形態に係る透過型表示装置において行われる処理の手順の一例を示すフローチャート図である。
【図６】本発明の他の一実施形態に係る透過型表示装置の外観図である。
【発明を実施するための形態】
【００２８】
［第１実施形態］
本発明の第１実施形態について図面を参照して詳細に説明する。
図１は、本発明の一実施形態に係る透過型表示装置（本実施形態では、透過型のヘッドマウントディスプレイ）の外観図である。
本実施形態に係る透過型表示装置は、眼鏡のような形状を有する表示装置１００と、ユーザー（人）の手で持つことが可能な程度の大きさを有する制御装置（コントローラー）２００と、を備える。
【００２９】
また、表示装置１００と制御装置２００とは、有線または無線で、通信可能に接続される。
本実施形態では、表示装置１００の左眼側と右眼側のそれぞれと制御装置２００とが有線のケーブルで通信可能に接続されている。そして、表示装置１００の左眼側と右眼側のそれぞれと制御装置２００とは、このケーブルを介して、画像の信号（画像信号）や制御の信号（制御信号）を通信する。
【００３０】
表示装置１００は、左眼用の表示部（左眼用表示部）１１０Ａと、右眼用の表示部（右眼用表示部）１１０Ｂと、光センサー１２０と、左眼用のセンサー（左眼用センサー）１３０Ａと、右眼用のセンサー（右眼用センサー）１３０Ｂと、を備える。
制御装置２００は、操作部２１０と、操作ボタン部２５０と、を備える。
【００３１】
左眼用表示部１１０Ａは、左眼用の画像形成部（左眼用画像形成部）１０Ａと、左眼用の導光部（図２に示される左眼用導光部２０Ａ）と、左眼用の反射部（左眼用反射部）２１Ａと、左眼用のシェード（左眼用シェード）４２０Ａと、を備える。
右眼用表示部１１０Ｂは、右眼用の画像形成部（右眼用画像形成部）１０Ｂと、右眼用の導光部（図２に示される左眼用導光部２０Ａと同様な右眼用導光部２０Ｂ）と、右眼用の反射部（右眼用反射部）２１Ｂと、右眼用のシェード（右眼用シェード）４２０Ｂと、を備える。
【００３２】
図２は、本発明の一実施形態に係る表示装置１００の左眼用表示部１１０Ａの構成例を示す平面図である。また、図２には、表示装置１００を装着するユーザー（人）の左眼３１０Ａと、当該ユーザーの左眼３１０Ａに対する左眼用センサー１３０Ａを示してある。
なお、左眼用表示部１１０Ａと右眼用表示部１１０Ｂとは互いに左右対称の構成を有しており、ここでは、左眼用表示部１１０Ａの構成例についてのみ説明する。
【００３３】
左眼用画像形成部１０Ａは、左眼用の画像生成部（左眼用画像生成部）１１Ａと、左眼用の投射光学系（左眼用投射光学系）１２Ａと、を備える。
左眼用画像生成部１１Ａは、左眼用のバックライトの光源（左眼用バックライト光源）４１０Ａと、左眼用の光変調素子（左眼用光変調素子）４１１Ａと、を備える。
【００３４】
左眼用バックライト光源４１０Ａは、本実施形態では、赤色、緑色および青色といった発光色ごとの光源の集合から構成されている。各光源としては、例えば、発光ダイオード（ＬＥＤ：Ｌｉｇｈｔ Ｅｍｉｔｔｉｎｇ Ｄｉｏｄｅ）などを用いることができる。
左眼用光変調素子４１１Ａとしては、例えば、表示素子である液晶表示デバイスなどを用いることができる。
【００３５】
図１および図２を参照して、本実施形態に係る透過型表示装置の概略を説明する。
左眼用画像生成部１１Ａには、制御装置２００から左眼用の画像信号が入力される。
左眼用画像生成部１１Ａにおいて、左眼用バックライト光源４１０Ａの各光源が、赤色光、緑色光および青色光を射出する。また、左眼用画像生成部１１Ａは、左眼用バックライト光源４１０Ａの各光源から射出された赤色光、緑色光および青色光を拡散させて、左眼用光変調素子４１１Ａに投射する。左眼用光変調素子４１１Ａは、制御装置２００から左眼用画像生成部１１Ａに入力された画像信号に応じて、投射された赤色光、緑色光および青色光を空間変調することにより、当該画像信号に応じた画像光を射出する。
左眼用投射光学系１２Ａは、例えば、入力される画像光を投射する投射レンズの群から構成され、左眼用画像生成部１１Ａの左眼用光変調素子４１１Ａから射出された画像光を投射して、平行な状態の光束にする。
【００３６】
左眼用導光部２０Ａは、左眼用投射光学系１２Ａにより平行な状態の光束にされた画像光を、左眼用反射部２１Ａが有する三角プリズムのあらかじめ定められた面（半透過反射面）に投射する。ここで、左眼用反射部２１Ａに形成されている半透過反射面の表裏のうち、装着時にユーザーの左眼３１０Ａに向く側には、ミラー層などの反射コーティングが施されている。左眼用反射部２１Ａに形成されている半透過反射面に投射された画像光は、この反射コーティングされた面により、ユーザーの左眼３１０Ａに向けて全反射される。これにより、左眼用反射部２１Ａのあらかじめ定められた位置のエリア（画像取り出しエリア）には、投射された画像光に応じた画像光が出力される。
【００３７】
本実施形態では、左眼用導光部２０Ａの導光板により伝達される画像光が左眼用反射部２１Ａに形成されている半透過反射面により反射され、その反射光がユーザーの左眼３１０Ａに入って、その左眼３１０Ａの網膜上に虚像を形成する。  なお、本実施形態では、左眼用導光部２０Ａは、左眼用投射光学系１２Ａに対して固定され、当該左眼用投射光学系１２Ａからの画像光を所定の位置に導く。
【００３８】
また、左眼用反射部２１Ａに外界から入射する光の少なくとも一部は、左眼用反射部２１Ａに形成されている前記した半透過反射面を透過し、ユーザーの左眼３１０Ａに導かれる。これにより、ユーザーには、左眼用画像形成部１０Ａにより形成された画像と、外界からの光学像とが重畳されて見える。
また、左眼用シェード４２０Ａは、その透過率に応じて、外界から左眼用反射部２１Ａの方（ユーザーの左眼３１０Ａの方）に入射する光を低減させる。
【００３９】
ユーザーは、表示装置１００を頭部に装着することにより、表示装置１００の画像取り出しエリア（左眼用反射部２１Ａの画像取り出しエリア、右眼用反射部２１Ｂの画像取り出しエリア）から出力される画像光に応じた画像が表示されているように見えることで、その画像を認識することができる。また、ユーザーは、表示装置１００の画像取り出しエリア（左眼用反射部２１Ａの画像取り出しエリア、右眼用反射部２１Ｂの画像取り出しエリア）に外界からの光の少なくとも一部が透過させられることにより、表示装置１００を頭部に装着したまま、外界を見ることができる。すなわち、外界からの光が画像取り出しエリア（左眼用反射部２１Ａの画像取り出しエリア、右眼用反射部２１Ｂの画像取り出しエリア）を透過することが可能である。
このように、ユーザーは、導光部（左眼用導光部２０Ａ、右眼用導光部２０Ｂ）を介して、透過型表示装置による表示対象の画像と外界の画像とを同時に見る（観察する）ことが可能であり、虚像を視認することができる。  また、ユーザーは、制御装置２００の操作部２１０や操作ボタン部２５０に対して操作入力をすることができる。
【００４０】
ここで、左眼用画像形成部１０Ａは、装着時にユーザーの頭部の左側に位置するように、表示装置１００の左側のテンプル部に備えられる。左眼用画像形成部１０Ａは、ユーザーの左眼用に画像を形成し、形成した画像の光を左眼用反射部２１Ａのあらかじめ定められた位置（画像取り出しエリアの位置）に向けて出力する。
左眼用反射部２１Ａの画像取り出しエリアは、装着時にユーザーの左眼３１０Ａの前に位置するように、表示装置１００の左側のリム部に設けられる。
【００４１】
また、右眼用画像形成部１０Ｂは、装着時にユーザーの頭部の右側に位置するように、表示装置１００の右側のテンプル部に備えられる。右眼用画像形成部１０Ｂは、ユーザーの右眼用に画像を形成し、形成した画像の光を右眼用反射部２１Ｂのあらかじめ定められた位置（画像取り出しエリアの位置）に向けて出力する。
右眼用反射部２１Ｂの画像取り出しエリアは、装着時にユーザーの右眼の前に位置するように、表示装置１００の右側のリム部に設けられる。
【００４２】
以下で、本実施形態に係る透過型表示装置について、より詳しく説明する。
図３は、本実施形態に係る透過型表示装置の構成例を示すブロック図である。
制御装置２００は、操作部２１０と、操作ボタン部２５０のほかに、制御部２３０と、記憶部２４０と、電源部２６０と、を備える。
また、制御装置２００では、操作部２１０と操作ボタン部２５０とのうちの一方または両方により、ユーザーからの操作入力を受け付ける操作入力部２７０が構成される。
【００４３】
本実施形態に係る透過型表示装置における各構成部について説明する。
まず、表示装置１００について説明する。
左眼用表示部１１０Ａに備えられた左眼用画像形成部１０Ａ、左眼用導光部２０Ａ、左眼用反射部２１Ａ、左眼用シェード４２０Ａ、左眼用画像形成部１０Ａに備えられた左眼用画像生成部１１Ａ、左眼用投射光学系１２Ａ、左眼用画像生成部１１Ａに備えられた左眼用バックライト光源４１０Ａ、左眼用光変調素子４１１Ａは、図１および図２を参照して説明したような構成を有しており動作を行う。
【００４４】
また、右眼用表示部１１０Ｂに備えられた右眼用画像形成部１０Ｂ、右眼用導光部２０Ｂ、右眼用反射部２１Ｂ、右眼用シェード４２０Ｂ、右眼用画像形成部１０Ｂに備えられた右眼用画像生成部１１Ｂ、右眼用投射光学系１２Ｂ、右眼用画像生成部１１Ｂに備えられた右眼用バックライト光源４１０Ｂ、右眼用光変調素子４１１Ｂは、左眼用について図１および図２を参照して説明したのと同様な構成を有しており動作を行う。
【００４５】
光センサー１２０は、外界の光（環境光）のレベルを検出し、その検出結果を制御装置２００の制御部２３０に送信する。
ここで、光センサー１２０により検出する環境光のレベルとしては、例えば、環境光の輝度のレベルを用いることができる。
【００４６】
本実施形態では、光センサー１２０は、ユーザーが表示装置１００を装着した状態において、当該ユーザーの頭部の正面に位置するように、表示装置１００のリム部またはブリッジ部（本実施形態では、ブリッジ部の中央の位置）に備えられている。本実施形態では、光センサー１２０は、外界からシェード（左眼用シェード４２０Ａ、右眼用シェード４２０Ｂ）および画像取り出しエリア（左眼用反射部２１Ａの画像取り出しエリア、右眼用反射部２１Ｂの画像取り出しエリア）への方向と同じ（または、ほぼ同じ）方向の環境光を検出するように配置されている。これにより、光センサー１２０は、外界からシェード（左眼用シェード４２０Ａ、右眼用シェード４２０Ｂ）および画像取り出しエリア（左眼用反射部２１Ａの画像取り出しエリア、右眼用反射部２１Ｂの画像取り出しエリア）に入射される環境光のレベル（または、それに応じたレベル）を検出する。
【００４７】
左眼用センサー１３０Ａは、ユーザーが表示装置１００を装着した状態において、当該ユーザーの左眼３１０Ａの状態を検出する。左眼用センサー１３０Ａは、その検出結果を制御部２３０に送信する。
本実施形態では、左眼用センサー１３０ＡとしてＣＣＤ（Ｃｈａｒｇｅ  Ｃｏｕｐｌｅｄ  Ｄｅｖｉｃｅ）のカメラを用いており、このカメラを、左眼用反射部２１Ａの画像取り出しエリアに対して左上の位置に、ユーザーの左眼３１０Ａ（がくると想定される位置）を撮像する向きで、配置してある。本実施形態では、左眼用センサー１３０Ａは、ユーザーの左眼３１０Ａ（がくると想定される位置）を撮像し、撮像した画像（例えば、動画像）をユーザーの左眼３１０Ａの状態の検出結果として制御部２３０に送信する。
【００４８】
右眼用センサー１３０Ｂは、ユーザーが表示装置１００を装着した状態において、当該ユーザーの右眼の状態を検出する。右眼用センサー１３０Ｂは、その検出結果を制御部２３０に送信する。
本実施形態では、右眼用センサー１３０ＢとしてＣＣＤ（Ｃｈａｒｇｅ  Ｃｏｕｐｌｅｄ  Ｄｅｖｉｃｅ）のカメラを用いており、このカメラを、右眼用反射部２１Ｂの画像取り出しエリアに対して右上の位置に、ユーザーの右眼（がくると想定される位置）を撮像する向きで、配置してある。本実施形態では、右眼用センサー１３０Ｂは、ユーザーの右眼（がくると想定される位置）を撮像し、撮像した画像（例えば、動画像）をユーザーの右眼の状態の検出結果として制御部２３０に送信する。
【００４９】
次に、制御装置２００について説明する。
操作部２１０は、制御装置２００の筐体に備えられた操作面に対する操作入力を検出し、その検出結果を制御部２３０に出力する。
ここで、操作部２１０は、例えば、操作入力をするユーザーの指が触れた操作面上の位置を、操作面上の絶対座標で検出する。操作部２１０は、例えば、トラックパッドである。
【００５０】
操作ボタン部２５０は、複数の操作ボタンを備える。各操作ボタンは、ユーザーにより押下されることにより、押下された操作ボタンにあらかじめ対応付けられた処理を示す信号を制御部２３０に出力する。
【００５１】
記憶部２４０は、各種の情報を記憶する。具体的には、記憶部２４０は、例えば、制御部２３０により実行されるプログラムの情報、各種の処理で使用される情報を記憶する。
電源部２６０は、制御装置２００および表示装置１００に備えられた電源を必要とする各構成部に、電源を供給する。
【００５２】
制御部２３０は、制御装置２００における各種の処理を実行する。制御部２３０は、例えば、ＣＰＵ（Ｃｅｎｔｒａｌ  Ｐｒｏｃｅｓｓｉｎｇ  Ｕｎｉｔ）などを用いて構成される。
具体的には、制御部２３０は、例えば、操作部２１０から操作入力の検出結果が入力された場合に当該検出結果に応じた処理を実行する機能、操作ボタン部２５０において押下された操作ボタンにあらかじめ対応付けられた処理を示す信号が入力された場合に当該信号に応じた処理を実行する機能、記憶部２４０に情報を書き込む機能および記憶部２４０に記憶された情報を読み出す機能、電源部２６０から各構成部への電源の供給の状態を制御する機能を有する。
【００５３】
また、制御部２３０は、例えば、光センサー１２０から入力される環境光のレベルの検出結果を取得する機能、左眼用センサー１３０Ａから入力されるユーザーの左眼３１０Ａの状態の検出結果（本実施形態では、ユーザーの左眼３１０Ａを撮像した画像）を取得する機能、右眼用センサー１３０Ｂから入力されるユーザーの右眼の状態の検出結果（本実施形態では、ユーザーの右眼を撮像した画像）を取得する機能を有する。
【００５４】
また、制御部２３０は、左眼用センサー１３０Ａから入力されたユーザーの左眼３１０Ａの状態の検出結果（本実施形態では、ユーザーの左眼３１０Ａを撮像した画像）に基づいて、当該ユーザーの左眼３１０Ａの状態を判定する機能、右眼用センサー１３０Ｂから入力されたユーザーの右眼の状態の検出結果（本実施形態では、ユーザーの右眼を撮像した画像）に基づいて、当該ユーザーの右眼の状態を判定する機能を有する。
【００５５】
本実施形態では、制御部２３０は、ユーザーの眼（右眼、左眼）を撮像した画像に基づいて、当該ユーザーの眼の状態として、当該ユーザーの眼の瞬きの回数を検出（判定）する機能を有する。このような瞬きの回数の検出は、任意の画像処理によって行われてもよく、例えば、公知の画像処理を利用して実現することができる。
なお、通常、人の眼では、眼が疲労しているときには瞬きの回数が通常より多く、眼がドライアイの状態であるときには瞬きの回数が通常より少ない。
【００５６】
また、制御部２３０は、例えば、左眼用バックライト光源４１０Ａの各光源から射出する光の輝度（バックライトの輝度）を制御する機能、右眼用バックライト光源４１０Ｂの各光源から射出する光の輝度（バックライトの輝度）を制御する機能、左眼用シェード４２０Ａの透過率を制御する機能、右眼用シェード４２０Ｂの透過率を制御する機能、左眼用に表示する画像のガンマ（γ）値を制御する機能、右眼用に表示する画像のガンマ（γ）値を制御する機能を有する。
【００５７】
また、制御部２３０は、例えば、表示装置１００によりユーザーに対して表示させる画像について、左眼用画像生成部１１Ａに左眼用の画像信号を出力する機能、右眼用画像生成部１１Ｂに右眼用の画像信号を出力する機能を有する。
ここで、ユーザーに対して同時に表示させる左眼用の画像信号と右眼用の画像信号とは、例えば、同一の画像信号であってもよく、または、画像の視差などに応じて異なる画像信号であってもよい。
【００５８】
また、表示装置１００により表示する画像としては、様々な内容の画像が用いられてもよい。
具体的には、表示装置１００により表示する画像としては、例えば、映画などの動画のコンテンツの画像、または、あらかじめ定められたユーザーに対する警告を示す画像（警告画像）などを用いることができる。警告画像は、例えば、コンテンツの画像に対して、オンスクリーンディスプレイ（ＯＳＤ）で表示することも可能である。
【００５９】
また、制御部２３０は、例えば、複数の表示モード（表示態様）を切り替える機能を有する。
ここで、複数の表示モードとしては、様々なものが用いられてもよい。
具体的には、複数の表示モードとしては、例えば、バックライトの光源（左眼用バックライト光源４１０Ａ、右眼用バックライト光源４１０Ｂ）の輝度、シェード（左眼用シェード４２０Ａ、右眼用シェード４２０Ｂ）の透過率、表示する画像（左眼用の画像、右眼用の画像）、表示する画像（左眼用の画像、右眼用の画像）の大きさ、表示する画像（左眼用の画像、右眼用の画像）の背景の色、表示する画像（左眼用の画像、右眼用の画像）の色、表示する画像（左眼用の画像、右眼用の画像）のガンマ値などのうちの１つ以上の態様が異なるモードを用いることができる。
【００６０】
本実施形態では、制御部２３０は、ユーザーの眼の状態を検出し、その検出結果に基づいて、検出したユーザーの眼の状態が例えば疲労したとみなされるあらかじめ定められた状態になったと判定した場合には、ユーザーに対してあらかじめ定められた警告画像を表示し、これに応じて、ユーザーからあらかじめ定められた操作入力を受け付けた場合には、あらかじめ定められたように表示モードを切り替える。
【００６１】
本実施形態に係る透過型表示装置において行われる動作の例について説明する。
図４は、本発明の第１実施形態に係る透過型表示装置において行われる処理の手順の一例を示すフローチャート図である。
まず、本実施形態に係る透過型表示装置がオフ状態であるときに、当該透過型表示装置の制御装置２００の操作ボタン部２５０に備えられたあらかじめ定められた操作ボタンなどがユーザーにより操作されると、当該透過型表示装置がオン状態になり、制御装置２００の電源部２６０から各構成部に電源が供給される。これにより、当該透過型表示装置の使用が開始される（ステップＳ１）。
【００６２】
ここで、本実施形態に係る透過型表示装置の表示装置１００がユーザーにより装着されるとする。
制御部２３０は、左眼用センサー１３０Ａから入力される情報（本実施形態では、ユーザーの左眼３１０Ａを撮像した画像）と、右眼用センサー１３０Ｂから入力される情報（本実施形態では、ユーザーの右眼を撮像した画像）に基づいて、あらかじめ定められた期間（例えば、１分など）におけるユーザーの眼の瞬きの回数を検出し、検出した瞬きの回数（例えば、２０回／分など）を初期値として記憶部２４０に記憶する（ステップＳ２）。
【００６３】
ここで、ユーザーの瞬きの回数の初期値を検出する始点のタイミングとしては、例えば、あらかじめ定められた任意のタイミングを用いることができる。
具体的には、ユーザーの瞬きの回数の初期値を検出する始点のタイミングとしては、例えば、ユーザーが表示装置１００を装着したことを制御部２３０が検出した（例えば、左眼と右眼のうちの一方または両方についてユーザーの眼が撮像された画像が取得されたことを制御部２３０が検出した）時点のタイミング、あるいは、この時点からあらかじめ定められた時間が経過した時点のタイミング、あるいは、制御装置２００の操作ボタン部２５０に備えられたあらかじめ定められた操作ボタンがユーザーにより操作されたことを制御部２３０が検出したタイミングなどを用いることができる。
【００６４】
また、制御部２３０は、例えば、ユーザーの瞬きの回数の初期値を、あらかじめ定められた期間ごと、または、あらかじめ定められた検出回数ごとに、検出し直してもよい。この場合、例えば、ユーザーの瞬きの回数の初期値を検出し直すたびに、ステップＳ３の処理へ戻る構成とすることもできる。
【００６５】
また、ユーザーの眼の状態（本実施形態では、瞬きの回数）は、例えば、ユーザーの左眼と右眼のうちの一方のみの状態を検出してもよく、または、ユーザーの左眼と右眼の両方の状態を検出してもよい。本実施形態では、ユーザーの眼の状態として、ユーザーの左眼と右眼の両方の状態を検出する。
ユーザーの眼の状態として、ユーザーの左眼と右眼の両方の状態を検出する場合には、例えば、左眼について検出された結果と右眼について検出された結果について、その値が大きい方を採用する構成、その値が小さい方を採用する構成、あるいは、その値の平均値を採用する構成などを用いることができる。
【００６６】
また、本実施形態では、制御部２３０は、瞬きの回数の初期値に応じて、第１の閾値〜第８の閾値を設定して記憶部２４０に記憶し、その後、必要なときに、記憶部２４０に記憶された第１の閾値〜第８の閾値を読み出して使用する。
本実施形態では、第１の閾値＞第２の閾値＞第３の閾値＞第４の閾値＞初期値＞第５の閾値＞第６の閾値＞第７の閾値＞第８の閾値となるように、あらかじめ定められたように、制御部２３０が各閾値を設定する。初期値から各閾値を求める方法としては、例えば、初期値にあらかじめ定められた演算を行った結果を閾値とする方法、または、初期値と各閾値との対応をあらかじめ定めておいて、その対応に基づいて、初期値に対応した各閾値を求める方法などを用いることができる。
【００６７】
一例として、初期値＝２０回／分である場合に、第１の閾値＝１００回／分、第２の閾値＝８０回／分、第３の閾値＝６０回／分、第４の閾値＝３０回／分、第５の閾値＝１０回／分、第６の閾値＝７回／分、第７の閾値＝５回／分、第８の閾値＝３回／分と設定することができる。
なお、各閾値（第１の閾値〜第８の閾値）としては、それぞれ、様々な値が用いられてもよい。
【００６８】
その後、制御部２３０は、あらかじめ定められたタイミングで、左眼用センサー１３０Ａから入力される情報（本実施形態では、ユーザーの左眼３１０Ａを撮像した画像）と、右眼用センサー１３０Ｂから入力される情報（本実施形態では、ユーザーの右眼を撮像した画像）に基づいて、あらかじめ定められた期間（例えば、１分など）におけるユーザーの瞬きの回数を検出し、検出した瞬きの回数についてあらかじめ定められた判定を行う（ステップＳ３）。
【００６９】
ここで、制御部２３０がユーザーの瞬きの回数を検出するあらかじめ定められたタイミングとしては、任意のタイミングが用いられてもよく、例えば、一定の周期（例えば、１０分など）のタイミングを用いることができる。
【００７０】
そして、制御部２３０は、ステップＳ３の処理における判定として、検出したユーザーの瞬きの回数が、第４の閾値（一例として、３０回／分）以上であるか、あるいは、第５の閾値（一例として、１０回／分）以下であるか、あるいは、第４の閾値未満であって第５の閾値を超える値であるか（初期値程度（とみなす）であるか）を判定する。
【００７１】
ステップＳ３の処理における判定の結果、制御部２３０は、検出したユーザーの瞬きの回数が第４の閾値以上であると判定した場合には、ユーザーの眼が疲労している状態であるとみなして、注意を喚起する（ステップＳ４）。
また、ステップＳ３の処理における判定の結果、制御部２３０は、検出したユーザーの瞬きの回数が第５の閾値以下であると判定した場合には、ユーザーの眼がドライアイの危険性がある状態であるとみなして（ステップＳ１３）、注意を喚起する（ステップＳ４）。
【００７２】
ここで、ステップＳ４の処理における注意喚起としては、例えば、制御部２３０は、表示装置１００の画像取り出しエリア（左眼用反射部２１Ａの画像取り出しエリア、右眼用反射部２１Ｂの画像取り出しエリア）に、ユーザーに対して注意を喚起するための内容の画像の光を出力して、当該画像を表示させる。この画像としては、例えば、「眼を休めましょう」などの文字メッセージを含む画像を用いることができる。また、この画像は、例えば、通常の画像として表示してもよく、あるいは、ＯＳＤにより表示することもできる。
【００７３】
ステップＳ３の処理における判定の結果、制御部２３０は、検出したユーザーの瞬きの回数が第４の閾値未満であって第５の閾値を超える値であると判定した場合には、通常の動作を行い（ステップＳ１２）、ステップＳ３の処理へ移行する（ステップＳ３）。
【００７４】
ステップＳ４の処理の後に、制御部２３０は、あらかじめ定められたタイミング（例えば、前記した一定の周期のタイミングにおける次のタイミング）で、左眼用センサー１３０Ａから入力される情報（本実施形態では、ユーザーの左眼３１０Ａを撮像した画像）と、右眼用センサー１３０Ｂから入力される情報（本実施形態では、ユーザーの右眼を撮像した画像）に基づいて、あらかじめ定められた期間（例えば、１分など）におけるユーザーの瞬きの回数を検出し、検出した瞬きの回数についてあらかじめ定められた判定を行う（ステップＳ５）。
【００７５】
そして、制御部２３０は、ステップＳ５の処理における判定として、検出したユーザーの瞬きの回数が、第３の閾値（一例として、６０回／分）以上であるか、あるいは、第６の閾値（一例として、７回／分）以下であるか、あるいは、第３の閾値未満であって第６の閾値を超える値であるか（初期値程度（とみなす）であるか）を判定する。
【００７６】
ステップＳ５の処理における判定の結果、制御部２３０は、検出したユーザーの瞬きの回数が第３の閾値以上であると判定した場合には、ユーザーの眼が一層疲労している状態であるとみなして、ユーザーに対して休息を促すことを決定し（ステップＳ６）、ユーザーに対して休息を促すために注意を喚起する（ステップＳ７）。
また、ステップＳ５の処理における判定の結果、制御部２３０は、検出したユーザーの瞬きの回数が第６の閾値以下であると判定した場合には、ユーザーの眼がドライアイの状態であるとみなして（ステップＳ１４）、ユーザーに対して休息を促すことを決定し（ステップＳ６）、ユーザーに対して休息を促すために注意を喚起する（ステップＳ７）。
【００７７】
ステップＳ５の処理における判定の結果、制御部２３０は、検出したユーザーの瞬きの回数が第３の閾値未満であって第６の閾値を超える値であると判定した場合には、通常の動作を行い（ステップＳ１２）、ステップＳ３の処理へ移行する（ステップＳ３）。
【００７８】
ここで、ステップＳ７の処理における注意喚起としては、例えば、制御部２３０は、表示装置１００の画像取り出しエリア（左眼用反射部２１Ａの画像取り出しエリア、右眼用反射部２１Ｂの画像取り出しエリア）に、ユーザーに対して注意を喚起するための内容の画像の光を出力して、当該画像を表示させる。この画像としては、例えば、「休息しますか？」などの文字メッセージを含む画像（警告画像）を用いることができる。また、この画像は、例えば、通常の画像として表示してもよく、あるいは、ＯＳＤにより表示することもできる。
【００７９】
また、例えば、ステップＳ７の処理における注意喚起において、さらに、制御部２３０は、表示装置１００の画像取り出しエリア（左眼用反射部２１Ａの画像取り出しエリア、右眼用反射部２１Ｂの画像取り出しエリア）に、眼の疲れあるいはドライアイを軽減するために有効な説明の情報を含む画像の光を出力して、当該画像を表示させることもできる。この場合、ユーザーに対して積極的に休息を取るように促すことができる。
【００８０】
また、制御部２３０は、ステップＳ７の処理における注意喚起を行った後に、ユーザーからの操作入力を待機する。
ユーザーは、「休息しますか？」などの文字メッセージを含む画像（警告画像）の表示に対して、制御装置２００の操作部２１０または操作ボタン部２５０を操作して、「ＹＥＳ（はい：休息する）」または「ＮＯ（いいえ：休息しない）」を示す操作入力を行う。
【００８１】
ステップＳ７の処理における注意喚起を行った後に、制御部２３０は、ユーザーにより「ＹＥＳ（はい：休息する）」を示す操作入力が行われたことを検出した場合には、あらかじめ定められたように、表示モードを切り替える（ステップＳ８）。
表示モードを切り替える方法としては、例えば、あらかじめ定められた眼の保養映像を表示していない状態（例えば、通常の画像を表示している状態）の表示モードから、あらかじめ定められた眼の保養映像を表示する表示モードへ切り替える方法、または、通常の画像（映像）を表示している表示モードから、その画像の表示を一時停止させてバックライト（左眼用バックライト光源４１０Ａ、右眼用バックライト光源４１０Ｂ）をオフにする表示モードへ切り替える方法、などを用いることができる。
【００８２】
なお、他の構成例として、ユーザーにより所望の表示モードを選択して指示することが可能な構成とすることもできる。この構成では、例えば、ユーザーが制御装置２００の操作部２１０または操作ボタン部２５０を操作して所望の表示モードを選択して指示し、制御部２３０が当該指示に応じて指示された表示モードへ切り替える。この場合に、制御部２３０は、切り替えることが可能な１つまたは複数の表示モードを示す情報（例えば、切り替えることが可能な表示モードの一覧）をユーザーに対して表示させてもよく、ユーザーは当該表示の内容を見て所望の表示モードを選択して指示する。
【００８３】
ここで、本実施形態では、切り替え後の表示モードとしては、切り替え前の表示モードと比べて、ユーザーの眼の疲労やドライアイの状態を緩和することができると考えられる表示モードを用いる。
【００８４】
一方、ステップＳ７の処理における注意喚起を行った後に、制御部２３０は、ユーザーにより「ＮＯ（いいえ：休息しない）」を示す操作入力が行われたことを検出した場合には、あらかじめ定められたように、ユーザーの眼の状態（本実施形態では、瞬きの回数）を検出する頻度を上げる（ステップＳ１５）。
ここで、ユーザーの眼の状態（本実施形態では、瞬きの回数）を検出する頻度を上げる方法としては、例えば、ユーザーの眼の状態を検出する一定の周期を短くする方法（例えば、周期を１０分から５分へ変更するなどの方法）を用いることができる。
【００８５】
そして、制御部２３０は、ステップＳ１５の処理における判定として、検出したユーザーの瞬きの回数が、第２の閾値（一例として、８０回／分）以上または第７の閾値（一例として、５回／分）以下のうちのいずれかであるか、あるいは、第１の閾値（一例として、１００回／分）以上または第８の閾値（一例として、３回／分）以下のうちのいずれかであるかを判定する。
【００８６】
ステップＳ１５の処理における判定の結果、制御部２３０は、検出したユーザーの瞬きの回数が第２の閾値以上または第７の閾値以下のうちのいずれかであると判定した場合には、検出したユーザーの瞬きの回数が第２の閾値以上であればユーザーの眼が一層疲労している状態であるとみなし、検出したユーザーの瞬きの回数が第７の閾値以下であればユーザーの眼が一層ドライアイの状態であるとみなして、ユーザーに対して休息を促すことを決定して、ステップＳ６の処理へ移行する（ステップＳ６）。
【００８７】
また、ステップＳ１５の処理における判定の結果、制御部２３０は、検出したユーザーの瞬きの回数が第１の閾値以上または第８の閾値以下のうちのいずれかであると判定した場合には、検出したユーザーの瞬きの回数が第１の閾値以上であればユーザーの眼が非常に疲労している状態であるとみなし、検出したユーザーの瞬きの回数が第８の閾値以下であればユーザーの眼が非常にドライアイの状態であるとみなして、ユーザーの意思にかかわらずに強制的に表示モードを切り替えることを決定して、ステップＳ８の処理へ移行する（ステップＳ８）。
【００８８】
ステップＳ８の処理において表示モードを切り替えた後に、制御部２３０は、ユーザーに眼の改善具合の自覚症状があるか否かを、ユーザーからの操作入力に応じて判定する（ステップＳ９）。
具体的には、ステップＳ９の処理において、制御部２３０は、表示装置１００の画像取り出しエリア（左眼用反射部２１Ａの画像取り出しエリア、右眼用反射部２１Ｂの画像取り出しエリア）に、ユーザーに対して眼の改善具合の自覚症状があるか否かを質問する内容の画像の光を出力して、当該画像を表示させる。この画像としては、例えば、「眼の疲れは取れましたか？」などの文字メッセージを含む画像を用いることができる。また、この画像は、例えば、通常の画像として表示してもよく、あるいは、ＯＳＤにより表示することもできる。
【００８９】
また、制御部２３０は、ステップＳ９の処理における画像表示を行った後に、ユーザーからの操作入力を待機する。
ユーザーは、「眼の疲れは取れましたか？」などの文字メッセージを含む画像の表示に対して、制御装置２００の操作部２１０または操作ボタン部２５０を操作して、「ＹＥＳ（はい：疲れが取れた）」または「ＮＯ（いいえ：疲れが取れない）」を示す操作入力を行う。
【００９０】
ステップＳ９の処理における画像表示を行った後に、制御部２３０は、ユーザーにより「ＹＥＳ（はい：疲れが取れた）」を示す操作入力が行われたことを検出した場合には、通常の動作を行うことを決定して、ステップＳ１２の処理へ移行する（ステップＳ１２）。
【００９１】
一方、ステップＳ９の処理における画像表示を行った後に、制御部２３０は、ユーザーにより「ＮＯ（いいえ：疲れが取れない）」を示す操作入力が行われたことを検出した場合には、システムスタンバイの状態へ移行することを決定して、表示装置１００の画像取り出しエリア（左眼用反射部２１Ａの画像取り出しエリア、右眼用反射部２１Ｂの画像取り出しエリア）に、ユーザーに対してシステムスタンバイの状態へ移行することを警告するための内容の画像の光を出力して、当該画像を表示させる（ステップＳ１０）。この画像としては、例えば、「システムスタンバイに入ります」などの文字メッセージを含む画像を用いることができる。また、この画像は、例えば、通常の画像として表示してもよく、あるいは、ＯＳＤにより表示することもできる。
そして、制御部２３０は、システムスタンバイの状態へ移行する（ステップＳ１１）。
【００９２】
ここで、図４に示したフローチャートの例では、ユーザーの眼の瞬きの回数が所定値よりも多いときと所定値よりも少ないときの両方について注意喚起（例えば、警告表示）や表示モードの切り替えを行ったが、他の例として、ユーザーの眼の瞬きの回数が所定値よりも多いときと所定値よりも少ないときのいずれか一方のみについて注意喚起（例えば、警告表示）や表示モードの切り替えを行う構成とすることもできる。
【００９３】
以上のように、本実施形態に係る透過型表示装置では、制御部２３０は、ユーザーの眼の状態（本実施形態では、瞬きの回数）を検出し、その検出結果に基づいて、検出したユーザーの眼の状態が例えば疲労したとみなされるあらかじめ定められた状態になったと判定した場合には、ユーザーに対してあらかじめ定められた警告画像を表示し、これに応じて、ユーザーからあらかじめ定められた操作入力を受け付けた場合には、あらかじめ定められたように表示モードを切り替える。
【００９４】
これにより、本実施形態に係る透過型表示装置では、ユーザーの実際の眼の具合（本実施形態では、ユーザーの眼について瞬きの回数に基づいて推測される疲労の具合やドライアイの具合）に対応することができ、ユーザーの実際の眼の具合に応じた表示モードへ切り替えることができる。
【００９５】
本実施形態に係る透過型表示装置によると、ユーザーの眼の状態の監視（モニタリング）として、瞬きの回数を検出することで、初期の使用時などと比べて疲れ眼またはドライアイの度合を推測する。通常、初期における瞬きの回数と表示装置１００の使用中に疲れてきたときまたはドライアイになってきたときにおける瞬きの回数とで単位時間当たりの回数に違いが出ることから、表示装置１００の使用中に検出した瞬きの回数が所定の回数（例えば、頻度など）を超えたときや所定の回数（例えば、頻度など）を下回ったときに、ユーザーに対して注意を促す（例えば、警告画像を表示する）。そして、ユーザーが眼の休息を希望する場合には、ユーザーの眼の休息を実現する表示モードへ切り替える。
【００９６】
本実施形態では、制御部２３０は、ユーザーの眼の休息を実現する表示モードとして、眼の保養映像への切り替え、または、映像を止めて、バックライトを消灯させる（オフにする）ことを行う。これにより、表示装置１００の連続使用時におけるユーザーの眼の健康を保護することができ、ユーザーの眼の不快感を減らすことができる。
【００９７】
具体例として、眼の保養映像として自然画の映像を表示させる場合に、特に、遠くの山並みや自然の緑などの映像を表示させることで、ユーザーの眼の焦点位置を変化させて、眼に優しい色を見させることにより、眼の疲れの改善を図ることができる。
【００９８】
他の例として、表示モードの切り替えとして、制御部２３０は、バックライトの輝度を変化させること、シェードの透過率を変化させること、表示する画像を変化させること、表示する画像の大きさを変化させること、表示する画像の背景の色を変化させること、表示する画像の色を変化させること、表示する画像のガンマ値を変化させること、などのうちの１つ以上を行うことができる。
【００９９】
具体例として、表示する画像を小さくして、反射部２１Ａ、２１Ｂの画像取り出しエリアの隅に眼の逃げ場（例えば、遠くを見ることができるところ）を設けること、表示する画像の色をカラーから白黒へ変更すること、表示する画像の色を８ビット表示から２ビット表示へ変更すること、表示する画像の背景の色を緑寄りに変更すること、表示する画像のガンマ値を変更して緑を強調した背景にすること、あるいは、左眼用反射部２１Ａの画像取り出しエリアと右眼用反射部２１Ｂの画像取り出しエリアとの両眼について画像の光を出力して当該画像を表示させる状態（両眼表示の状態）からいずれか一方の眼のみについて画像を表示させる状態（片眼表示の状態）の表示モードへ切り替えることなどにより、ユーザーの眼の負担を低減させることができる。
【０１００】
なお、従来では、ＨＭＤ（ヘッドマウントディスプレイ）はクローズド型が主流であり、ユーザーは真っ暗な状態の中で長時間にわたって画像（映像）を見るため、眼の疲労やドライアイなどの影響が生じる可能性があった。
一方、本実施形態に係る透過型表示装置では、シースルー型のＨＭＤにおいて、長時間の使用による眼の疲労やドライアイなどの影響を低減させることができ、さらに、眼の保養映像をユーザーに見せることなどにより、ユーザーの眼の疲労やドライアイを軽減あるいは改善させることができる。これにより、ユーザーは、より快適に、透過型表示装置を使用することができる。
【０１０１】
［第２実施形態］
本発明の第２実施形態について図面を参照して詳細に説明する。
本実施形態に係る透過型表示装置は、概略的には、図１、図２、図３に示される第１実施形態に係る透過型表示装置と同様な構成を有している。このため、本実施形態では、図１〜図３に示したものと同一の符号を用いて説明する。
以下では、主に、第１実施形態の場合とは異なる構成および動作について詳しく説明する。
【０１０２】
本実施形態では、制御部２３０は、ユーザーの眼（左眼、右眼）を撮像した画像に基づいて、当該ユーザーの眼の状態として、当該ユーザーの瞳孔の大きさを検出（判定）する機能を有する。このような瞳孔の大きさの検出は、任意の画像処理によって行われてもよく、例えば、公知の画像処理を利用して実現することができる。
なお、通常、人の眼では、暗いものを見るときには瞳孔の大きさが大きく、明るいものを見るときには瞳孔の大きさが小さい。
【０１０３】
本実施形態に係る透過型表示装置において行われる動作の例について説明する。
図５は、本発明の第２実施形態に係る透過型表示装置において行われる処理の手順の一例を示すフローチャート図である。
まず、本実施形態に係る透過型表示装置がオフ状態であるときに、当該透過型表示装置の制御装置２００の操作ボタン部２５０に備えられたあらかじめ定められた操作ボタンなどがユーザーにより操作されると、当該透過型表示装置がオン状態になり、制御装置２００の電源部２６０から各構成部に電源が供給される。これにより、当該透過型表示装置の使用が開始される（ステップＳ２１）。
【０１０４】
ここで、本実施形態に係る透過型表示装置の表示装置１００がユーザーにより装着されるとする。
制御部２３０は、左眼用センサー１３０Ａから入力される情報（本実施形態では、ユーザーの左眼３１０Ａを撮像した画像）と、右眼用センサー１３０Ｂから入力される情報（本実施形態では、ユーザーの右眼を撮像した画像）に基づいて、ユーザーの眼の瞳孔の大きさを検出し、検出した瞳孔の大きさを初期値として記憶部２４０に記憶する（ステップＳ２１）。制御部２３０は、その後、必要なときに、記憶部２４０に記憶された初期値を読み出して使用する。
【０１０５】
ここで、ユーザーの眼の瞳孔の大きさの初期値を検出するタイミングとしては、例えば、あらかじめ定められた任意のタイミングを用いることができる。
具体的には、ユーザーの眼の瞳孔の大きさの初期値を検出するタイミングとしては、例えば、ユーザーが表示装置１００を装着したことを制御部２３０が検出した（例えば、左眼と右眼のうちの一方または両方についてユーザーの眼が撮像された画像が取得されたことを制御部２３０が検出した）時点のタイミング、あるいは、この時点からあらかじめ定められた時間が経過した時点のタイミング、あるいは、制御装置２００の操作ボタン部２５０に備えられたあらかじめ定められた操作ボタンがユーザーにより操作されたことを制御部２３０が検出したタイミングなどを用いることができる。
【０１０６】
また、ユーザーの眼の状態（本実施形態では、瞳孔の大きさ）は、例えば、ユーザーの左眼と右眼のうちの一方のみの状態を検出してもよく、または、ユーザーの左眼と右眼の両方の状態を検出してもよい。本実施形態では、ユーザーの眼の状態として、ユーザーの左眼と右眼の両方の状態を検出する。
ユーザーの眼の状態として、ユーザーの左眼と右眼の両方の状態を検出する場合には、例えば、左眼について検出された結果と右眼について検出された結果について、その値が大きい方を採用する構成、その値が小さい方を採用する構成、あるいは、その値の平均値を採用する構成などを用いることができる。
【０１０７】
その後、制御部２３０は、光センサー１２０から入力される情報（本実施形態では、光センサー１２０により検出された環境光のレベル）を取得し、取得した情報に基づいて、バックライトの光源（左眼用バックライト光源４１０Ａ、右眼用バックライト光源４１０Ｂ）を最適な輝度に設定する（ステップＳ２２）。
【０１０８】
ここで、本実施形態では、光センサー１２０から制御部２３０に入力される情報（本実施形態では、光センサー１２０により検出される環境光のレベル）と、バックライトの光源（左眼用バックライト光源４１０Ａ、右眼用バックライト光源４１０Ｂ）の最適な輝度との対応が、あらかじめ、記憶部２４０に記憶されている。制御部２３０は、記憶部２４０に記憶された当該対応に基づいて、バックライトの光源（左眼用バックライト光源４１０Ａ、右眼用バックライト光源４１０Ｂ）を最適な輝度に設定する。この場合、この対応の内容は、例えば、シェード（左眼用シェード４２０Ａ、右眼用シェード４２０Ｂ）の透過率によっても変化してもよい。
【０１０９】
その後、制御部２３０は、あらかじめ定められたタイミングで、左眼用センサー１３０Ａから入力される情報（本実施形態では、ユーザーの左眼３１０Ａを撮像した画像）と、右眼用センサー１３０Ｂから入力される情報（本実施形態では、ユーザーの右眼を撮像した画像）に基づいて、ユーザーの眼の瞳孔の大きさを検出し、検出した瞳孔の大きさについてあらかじめ定められた判定を行う（ステップＳ２３）。
【０１１０】
ここで、制御部２３０がユーザーの瞳孔の大きさを検出するあらかじめ定められたタイミングとしては、任意のタイミングが用いられてもよく、例えば、一定の周期（例えば、１０分など）のタイミングを用いることができる。
【０１１１】
具体的には、制御部２３０は、ステップＳ２３の処理における判定として、検出したユーザーの瞳孔の大きさが、初期値と比べて変化がないか、あるいは、初期値と比べて小さくなっているか、あるいは、初期値と比べて大きくなっているかを判定する。
【０１１２】
ここで、制御部２３０では、検出したユーザーの瞳孔の大きさと初期値との大小を比較する場合に、例えば、検出したユーザーの瞳孔の大きさが（初期値−第９の閾値）以下であるときに初期値と比べて小さいと判定し、検出したユーザーの瞳孔の大きさが（初期値＋第１０の閾値）以上であるときに初期値と比べて大きいと判定し、他のとき（つまり、検出したユーザーの瞳孔の大きさが（初期値−第９の閾値）を超えて（初期値＋第１０の閾値）未満であるとき）に初期値と比べて変化がないと判定する構成を用いることもできる。なお、第９の閾値と第１０の閾値は、それぞれ、正の値である。
この構成では、各閾値（第９の閾値〜第１０の閾値）としては、それぞれ、様々な値が用いられてもよい。
【０１１３】
また、本実施形態では、ステップＳ２３の処理において、制御部２３０は、ユーザーの瞳孔の大きさの初期値を、今回に検出したユーザーの瞳孔の大きさで更新する。つまり、本実施形態では、ステップＳ２３の処理において、初期を除いては、前回に検出したユーザーの瞳孔の大きさと今回に検出したユーザーの瞳孔の大きさとを比較して、その変化を検出する。
【０１１４】
なお、他の構成例として、制御部２３０は、例えば、あらかじめ定められた期間ごと、または、あらかじめ定められた検出回数ごとに、ステップＳ２１の処理へ戻って、瞳孔の大きさの初期値を検出する構成とすることもできる。
【０１１５】
ステップＳ２３の処理における判定の結果、制御部２３０は、検出したユーザーの瞳孔の大きさが変化なしであると判定した場合には、通常の動作を行い（ステップＳ２４）、ステップＳ２３の処理へ移行する（ステップＳ２３）。
【０１１６】
ステップＳ２３の処理における判定の結果、制御部２３０は、検出したユーザーの瞳孔の大きさが小さくなっていると判定した場合には、表示装置１００によりユーザーが画像を見る環境（本実施形態では、環境光）が明るくなったとみなして、ユーザーに対して注意を喚起する（ステップＳ２５）。
【０１１７】
ここで、ステップＳ２５の処理における注意喚起としては、例えば、制御部２３０は、表示装置１００の画像取り出しエリア（左眼用反射部２１Ａの画像取り出しエリア、右眼用反射部２１Ｂの画像取り出しエリア）に、ユーザーに対して注意を喚起するための内容の画像の光を出力して、当該画像を表示させる。この画像としては、例えば、「明るすぎですか？」などの文字メッセージを含む画像（警告画像）を用いることができる。また、この画像は、例えば、通常の画像として表示してもよく、あるいは、ＯＳＤにより表示することもできる。
【０１１８】
また、制御部２３０は、ステップＳ２５の処理における注意喚起を行った後に、ユーザーからの操作入力を待機する。
ユーザーは、「明るすぎですか？」などの文字メッセージを含む画像（警告画像）の表示に対して、制御装置２００の操作部２１０または操作ボタン部２５０を操作して、「ＹＥＳ（はい：明るすぎる）」または「ＮＯ（いいえ：明るすぎない）」を示す操作入力を行う。
【０１１９】
ステップＳ２５の処理における注意喚起を行った後に、制御部２３０は、ユーザーにより「ＹＥＳ（はい：明るすぎる）」を示す操作入力が行われたことを検出した場合には、あらかじめ定められたように、表示モードを切り替える（ステップＳ２６）。
【０１２０】
表示モードを切り替える方法としては、本実施形態では、あらかじめ定められたように、バックライトの光源（左眼用バックライト光源４１０Ａ、右眼用バックライト光源４１０Ｂ）の輝度を低下させる表示モードへ切り替える方法を用いる。
なお、バックライトの輝度を低下させる方法としては、様々な方法が用いられてもよく、例えば、瞳孔の大きさあるいはその変化量と、バックライトの輝度あるいはその変化量との対応をあらかじめ設定して記憶部２４０に記憶しておき、制御部２３０が、記憶部２４０に記憶された当該対応に基づいて、バックライトの輝度を制御する方法を用いることができる。この場合、この対応の内容は、例えば、シェード（左眼用シェード４２０Ａ、右眼用シェード４２０Ｂ）の透過率によっても変化してもよい。
【０１２１】
ここで、本実施形態では、切り替え後の表示モードとしては、切り替え前の表示モードと比べて、ユーザーの眼の疲労やドライアイの状態を緩和することができると考えられる表示モードを用いている。
【０１２２】
一方、ステップＳ２５の処理における注意喚起を行った後に、制御部２３０は、ユーザーにより「ＮＯ（いいえ：明るすぎない）」を示す操作入力が行われたことを検出した場合には、ステップＳ２３の処理へ移行する（ステップＳ２３）。
【０１２３】
また、ステップＳ２３の処理における判定の結果、制御部２３０は、検出したユーザーの瞳孔の大きさが大きくなっていると判定した場合には、表示装置１００によりユーザーが画像を見る環境（本実施形態では、環境光）が暗くなったとみなして、ユーザーに対して注意を喚起する（ステップＳ２７）。
【０１２４】
ここで、ステップＳ２７の処理における注意喚起としては、例えば、制御部２３０は、表示装置１００の画像取り出しエリア（左眼用反射部２１Ａの画像取り出しエリア、右眼用反射部２１Ｂの画像取り出しエリア）に、ユーザーに対して注意を喚起するための内容の画像の光を出力して、当該画像を表示させる。この画像としては、例えば、「暗すぎですか？」などの文字メッセージを含む画像（警告画像）を用いることができる。また、この画像は、例えば、通常の画像として表示してもよく、あるいは、ＯＳＤにより表示することもできる。
【０１２５】
また、制御部２３０は、ステップＳ２７の処理における注意喚起を行った後に、ユーザーからの操作入力を待機する。
ユーザーは、「暗すぎですか？」などの文字メッセージを含む画像（警告画像）の表示に対して、制御装置２００の操作部２１０または操作ボタン部２５０を操作して、「ＹＥＳ（はい：暗すぎる）」または「ＮＯ（いいえ：暗すぎない）」を示す操作入力を行う。
【０１２６】
ステップＳ２７の処理における注意喚起を行った後に、制御部２３０は、ユーザーにより「ＹＥＳ（はい：暗すぎる）」を示す操作入力が行われたことを検出した場合には、あらかじめ定められたように、表示モードを切り替える（ステップＳ２８）。
【０１２７】
表示モードを切り替える方法としては、本実施形態では、あらかじめ定められたように、シェード（左眼用シェード４２０Ａ、右眼用シェード４２０Ｂ）の透過率を上げる表示モードへ切り替える方法を用いる。
なお、シェードの透過率を上げる方法としては、様々な方法が用いられてもよく、例えば、瞳孔の大きさあるいはその変化量と、シェードの透過率あるいはその変化量との対応をあらかじめ設定して記憶部２４０に記憶しておき、制御部２３０が、記憶部２４０に記憶された当該対応に基づいて、シェードの透過率を制御する方法を用いることができる。この場合、この対応の内容は、例えば、バックライトの光源（左眼用バックライト光源４１０Ａ、右眼用バックライト光源４１０Ｂ）の輝度によっても変化してもよい。
【０１２８】
ここで、本実施形態では、切り替え後の表示モードとしては、切り替え前の表示モードと比べて、ユーザーの眼の疲労やドライアイの状態を緩和することができると考えられる表示モードを用いている。
【０１２９】
また、表示モードを切り替えた後に、制御部２３０は、環境光のレベルに基づいてバックライトの光源（左眼用バックライト光源４１０Ａ、右眼用バックライト光源４１０Ｂ）を最適な輝度に設定するステップＳ２２の処理へ移行する（ステップＳ２２）。
【０１３０】
一方、ステップＳ２７の処理における注意喚起を行った後に、制御部２３０は、ユーザーにより「ＮＯ（いいえ：暗すぎない）」を示す操作入力が行われたことを検出した場合には、ステップＳ２３の処理へ移行する（ステップＳ２３）。
【０１３１】
ここで、図５に示したフローチャートの例では、ユーザーの眼の瞳孔の大きさが小さくなったときと大きくなったときの両方について注意喚起（例えば、警告表示）や表示モードの切り替えを行ったが、他の例として、ユーザーの眼の瞳孔の大きさが小さくなったときと大きくなったときのいずれか一方のみについて注意喚起（例えば、警告表示）や表示モードの切り替えを行う構成とすることもできる。
【０１３２】
以上のように、本実施形態に係る透過型表示装置では、制御部２３０は、ユーザーの眼の状態（本実施形態では、瞳孔の大きさ）を検出し、その検出結果に基づいて、検出したユーザーの眼の状態が例えば疲労したとみなされるあらかじめ定められた状態になったと判定した場合には、ユーザーに対してあらかじめ定められた警告画像を表示し、これに応じて、ユーザーからあらかじめ定められた操作入力を受け付けた場合には、あらかじめ定められたように表示モードを切り替える。
【０１３３】
これにより、本実施形態に係る透過型表示装置では、ユーザーの実際の眼の具合（本実施形態では、ユーザーの眼について瞳孔の大きさに基づいて推測される負担（疲労しそうな状況）の具合）に対応することができ、ユーザーの実際の眼の具合に応じた表示モードへ切り替えることができる。
【０１３４】
本実施形態に係る透過型表示装置によると、ユーザーの眼の状態の監視（モニタリング）として、瞳孔の大きさを検出することで、周囲の明るさの度合いを推測する。そして、バックライトの輝度やシェードの透過率の最適化を行う。
【０１３５】
具体例として、通常、暗い場所または天候が暗く変化した状況では瞳孔は広がるが、バックライトが明るすぎると瞳孔は小さくなるため、この場合には、バックライトの輝度を下げることで、ユーザーの眼の疲れを予防する。
また、瞳孔が大きくなったときには、シェードの透過率を上げることで、ユーザーの眼の疲れを予防する。なお、シェードの透過率を上げる代わりにバックライトの輝度を上げることも可能であるが、シェードの透過率を上げる方が低消費電力化を図ることができる。
【０１３６】
また、通常、周囲の明るさ（例えば、シェードの透過率を考慮したもの）とバックライトの明るさに差があると眼が疲れやすくなる。このため、本実施形態では、環境光（外光）を光センサー１２０で検出することにより、環境光に対する最適なバックライト輝度を設定して、ユーザーの眼への負担を軽減させることも可能である。また、例えば、最適なバックライトの輝度を選定することにより、低消費電力化を図ることも可能である。
【０１３７】
［以上に示した実施形態のまとめ］
ここで、光センサー１２０は、任意の位置に備えられてもよい。
また、左眼用センサー１３０Ａや右眼用センサー１３０Ｂとしては、他の例として、ユーザーの眼に赤外光を射出してその反射光に基づいてユーザーの眼の状態を検出するセンサー（赤外光センサー）を用いることもできる。この場合、左眼用センサー１３０Ａや右眼用センサー１３０Ｂとしては、例えば、図１に示されるのと同じ位置などに備えることができる。
【０１３８】
また、左眼用センサー１３０Ａや右眼用センサー１３０Ｂとしては、他の例として、表示装置１００のツル（テンプル）の内側（眼鏡のツルの内側）に圧力センサーを備えて、表示装置１００を装着したユーザーが眼を動かす筋肉の動きを検出して、その検出結果に基づいてユーザーの眼の状態を判定する当該圧力センサーを用いることもできる。
図６は、このような圧力センサーを用いた場合における、本発明の他の一実施形態に係る透過型表示装置の外観図である。
図６に示される透過型表示装置は、図１に示される左眼用センサー１３０Ａおよび右眼用センサー１３０Ｂの代わりに、圧力センサーから構成される左眼用センサー５１０Ａおよび右眼用センサー５１０Ｂを備える。なお、図６に示される他の構成部分については、図１に示されるものと同様であり、図１に示されるのと同じ符号を用いて示してある。  
【０１３９】
また、ユーザーの眼の状態としては、他の例として、眼の開き具合を検出することもできる。通常、眼の開き具合（一例として、あらかじめ定められた期間における眼の開き具合の平均値）が小さくなるにつれて眼が疲労してきたとみなすことができる。なお、この場合、左眼用センサーや右眼用センサーとしては、例えば、カメラや、赤外光センサーや、圧力センサーなどが利用されてもよい。
【０１４０】
また、左眼用シェード４２０Ａと右眼用シェード４２０Ｂは、例えば、別体であってもよく、または、一体であってもよい。
また、シェード（左眼用シェード４２０Ａ、右眼用シェード４２０Ｂ）は、例えば、表示部（左眼用表示部１１０Ａ、右眼用表示部１１０Ｂ）に対して、一体として備えられてもよく、または、着脱可能な構成で備えられてもよい。
また、以上の実施形態では、シェード（左眼用シェード４２０Ａ、右眼用シェード４２０Ｂ）を備える表示装置１００を示したが、他の構成例として、シェードに関する制御を行わない場合には、表示装置１００にシェードが備えられなくてもよい。
【０１４１】
また、電源部２６０は、制御装置２００ではなく表示装置１００に備えられてもよく、または、制御装置２００と表示装置１００の両方に電源部が備えられてもよい。
【０１４２】
また、対となっている左眼用の構成部と右眼用の構成部について、例えば、左眼用と右眼用とで同一の制御を行ってもよく、または、左眼用と右眼用とで異なる制御を行ってもよい。
また、対となっている左眼用の構成部と右眼用の構成部について、例えば、左眼用と右眼用との両方に対して制御（同一の制御または異なる制御）を行ってもよく、または、左眼用と右眼用とのうちの一方のみに制御を行ってもよい。
【０１４３】
また、以上の実施形態では、制御装置２００の操作入力部２７０（本実施形態では、操作部２１０と操作ボタン部２５０とのうちの一方または両方）をユーザーが操作することで、その操作入力を制御部２３０が検出する例を示したが、他の構成例として、ユーザーからの操作入力を受け付ける操作入力部の一部または全部が、例えば、表示装置１００に備えられてもよい。
また、他の構成例として、左眼用センサー１３０Ａと右眼用センサー１３０Ｂとのうちの一方または両方、または他のセンサー（例えば、カメラなど）を操作入力部として、ユーザーの眼の動きなどに基づいてユーザーからの操作入力を受け付けてもよい。具体例として、ユーザーの眼が閉じられた状態があらかじめ定められた値以上の時間継続した場合には「ＹＥＳ」または「ＮＯ」の操作入力を受け付ける構成や、ユーザーの左眼と右眼について一方の側の眼が開かれて他方の側の眼が閉じられた状態があらかじめ定められた値以上の時間継続した場合には「ＹＥＳ」または「ＮＯ」の操作入力を受け付ける構成などを用いることができる。
【０１４４】
また、以上の実施形態では、左眼用と右眼用との両方の構成部を有する透過型表示装置（両眼用の透過型表示装置）を例として示したが、他の構成例として、左眼用と右眼用とのうちの一方のみの透過型表示装置（片眼用の透過型表示装置）に適用されてもよい。
また、以上の実施形態では、外界からの光を画像取り出しエリアに透過させるシースルー型の表示装置（透過型の表示装置）に適用した例を示したが、外界からの光を画像取り出しエリアに透過させないクローズド型の表示装置（非透過型の表示装置）に適用することも可能である。
【０１４５】
また、本発明は、例えば、導光方式として、ホログラムの反射面を使用するものに適用されてもよい。
また、本発明は、例えば、導光板を用いずに、画像光を単に反射面で反射させるようなものに適用されてもよい。
なお、本発明は、例えば、公知の様々な技術が適用されてもよい。具体例として、表示装置１００は、光学系として、瞳分割方式シースルー光学系を備えてもよく、あるいは、半透過鏡方式シースルー光学系を備えてもよい。また、具体例として、表示装置１００は、光学系として、特開２００８−２０７７０号公報に記載された画像表示装置が備える光学系、特許第４６３６１６４号公報に記載された頭部装着型ディスプレイが備える光学系、国際公開第２００９／０４１０５５号に記載されたビーム走査型表示装置が備える光学系、あるいは、特許第４０５５２８３号公報に記載された表示装置が備える光学系を備えてもよい。
【０１４６】
以上、この発明の実施形態について図面を参照して詳述してきたが、具体的な構成はこの実施形態に限られるものではなく、この発明の要旨を逸脱しない範囲の設計等も含まれる。
【０１４７】
なお、以上に説明した透過型表示装置における任意の構成部の機能を実現するためのプログラムを、コンピューター読み取り可能な記録媒体に記録し、そのプログラムをコンピューターシステムに読み込ませて実行するようにしてもよい。なお、ここで言う「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことを言う。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【０１４８】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１４９】
１０Ａ…左眼用画像形成部、１０Ｂ…右眼用画像形成部、１１Ａ…左眼用画像生成部、１１Ｂ…右眼用画像生成部、１２Ａ…左眼用投射光学系、１２Ｂ…右眼用投射光学系、２０Ａ…左眼用導光部、２０Ｂ…右眼用導光部、２１Ａ…左眼用反射部、２１Ｂ…右眼用反射部、１００…表示装置、１１０Ａ…左眼用表示部、１１０Ｂ…右眼用表示部、１２０…光センサー、１３０Ａ…左眼用センサー、１３０Ｂ…右眼用センサー、２００…制御装置、２１０…操作部、２３０…制御部、２４０…記憶部、２５０…操作ボタン部、２６０…電源部、２７０…操作入力部、３１０Ａ…ユーザーの左眼、４１０Ａ…左眼用バックライト光源、４１０Ｂ…右眼用バックライト光源、４１１Ａ…左眼用光変調素子、４１１Ｂ…右眼用光変調素子、４２０Ａ…左眼用シェード、４２０Ｂ…右眼用シェード、５１０Ａ…左眼用センサー、５１０Ｂ…右眼用センサー、
【図１】
2013114123.tif 000003
【図２】
2013114123.tif 000004
【図３】
2013114123.tif 000005
【図４】
2013114123.tif 000006
【図５】
2013114123.tif 000007
【図６】
2013114123.tif 000008